(57)【要約】【課題】撮影光路内にハーフミラーを配置したスルー画表示可能なデジタルカメラにおいて、消費電力を低くすると共にシャッタタイミングを掴み易くしたデジタルカメラを提供する。【解決手段】撮影レンズを通過した被写体光束を受光して被写体像信号を出力するＣＣＤ２２１と、被写体像信号に基づいて被写体の動画像を表示装置に表示する背面液晶モニタ２６と、撮影準備動作の実行を指示するために操作されるレリーズ釦２１を具備し、背面液晶モニタ２６には、レリーズ釦２１の半押し操作がなされるまでは第１の更新周期でスルー画表示を行い、レリーズ釦２１の半押し操作後は第１の更新周期よりも短い第２の更新周期でスルー画表示を行う。【選択図】  図２
2008035474.tif 000002
【特許請求の範囲】
【請求項１】
撮影レンズを通過した被写体光束を受光して被写体像信号を出力する撮像素子を含む撮像手段と、
上記被写体像信号に基づいて被写体の動画像を表示装置に表示するスルー画表示手段と、
撮影準備動作の実行を指示するために操作される手動操作部材と、
を具備し、
上記スルー画表示手段は、上記手動操作部材が操作されるまでは第１の更新周期でスルー画表示を行い、上記手動操作の操作後は上記第１の更新周期よりも短い第２の更新周期でスルー画表示を行うことを特徴とするデジタルカメラ。
【請求項２】
上記スルー画表示手段は、上記撮影準備動作の終了後に上記第２の更新周期に変更することを特徴とする請求項１に記載のデジタルカメラ。
【請求項３】
上記撮影準備動作は、自動焦点調節動作、若しくは測光動作であることを特徴とする請求項２に記載のデジタルカメラ。
【請求項４】
上記手動操作部材はレリーズ釦であり、上記撮影準備動作は上記レリーズ釦の半押しに応答することを特徴とする請求項１に記載のデジタルカメラ。
【請求項５】
上記撮影レンズと上記撮像素子の間に傾けて配置されたハーフミラーと、
上記ハーフミラーで反射された一部の被写体光束を用いて上記撮影レンズの焦点状態を検出する測距手段と、
を具備しており、
上記スルー画表示手段は、上記測距手段による測距動作の終了後に上記第２の更新周期に変更することを特徴とする請求項１に記載のデジタルカメラ。
【請求項６】
上記スルー画表示手段は、撮影動作の終了後に上記第１の更新周期に復帰させることを特徴とする請求項１に記載のデジタルカメラ。
【請求項７】
被写界輝度を測定する測光手段を有し、この測光結果に基づいて、低輝度の場合には、上記撮像素子の画素出力について画素加算を行なうことを特徴とする請求項１に記載のデジタルカメラ。
【請求項８】
上記スルー画表示手段のバックライトの輝度を制御するバックライト輝度可変回路を有し、上記手動操作後は、上記バックライトの輝度を明るくすることを特徴とする請求項１に記載のデジタルカメラ。
【請求項９】
撮影レンズを通過した被写体光束を受光して被写体像信号を出力する撮像素子を含む撮像手段と、
上記被写体像信号に基づいて被写体の動画像を表示装置に表示するスルー画表示手段と、
を具備し、
上記スルー画表示手段は、レリーズ釦の半押し操作に応答してスルー画表示の更新周期を短くすることを特徴とするデジタルカメラ。
【発明の詳細な説明】
【技術分野】
【０００１】
本発明は、スルー画表示機能を有するデジタルカメラに関し、詳しくは、撮像素子で取得した画像を動画像として表示装置に表示する所謂スルー画表示機能（ライブビュー表示機能、電子ファインダ機能とも言う）を有するデジタルカメラに関する。
【背景技術】
【０００２】
従来のデジタルカメラにおいては、被写体像の観察は、光学式ファインダにより行っていたが、最近は、光学式ファインダをなくし、または光学ファインダと共に、被写体画像データの記録用に設けられている撮像素子の出力を表示している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラの場合、撮像素子で取得する被写体画素データが増大してきており、さらに撮像素子の単位時間あたりの読出し回数が増加すると、内部消費電力が増加してしまう。これを解決するものとして、例えば、特許文献１には、撮影モードやバッテリ検知電圧等に応じてフレームレートを切り換えるデジタルカメラが提案されている。また、特許文献２には、商用電源の周波数、６０Ｈｚまたは５０Ｈｚに起因するフリッカ対策として、撮影待機状態においては高フレームレートで撮像素子から画素データを読出し、レリーズ釦の半押しに応じて低フレームレートに切り換えるデジタルカメラが開示されている。
【特許文献１】特開２００４−１５５９５号公報
【特許文献２】特開２００５−２６０７３３号公報
【発明の開示】
【発明が解決しようとする課題】
【０００４】
このように従来技術では、消費電力対策やフリッカ対策のために撮像素子のフレームレートを変更している。しかし、特許文献１に開示されたデジタルカメラでは、レリーズ釦の半押しによる撮影準備状態と、その前の撮影待機状態では、シャッタタイミングを逃さないために必要とされるフレームレートが異なるにも係わらず、何等考慮されておらず、このため、シャッタタイミングを掴み難いという問題がある。また、特許文献２に開示されたデジタルカメラでは、レリーズ釦の半押しを行うと、低フレームレートに切り換えているために、撮影待機状態よりもシャッタタイミングを掴み難いという問題がある。スルー画モードの場合、レリーズ釦の半押し前である撮影待機状態においては、消費電流を低下させるために低フレームレートで画素データの読出しを行ってもよいが、レリーズ釦の半押しにより撮影準備状態に入った際に低フレームレートの場合には、シャッタタイミングを掴み難いという問題があった。
【０００５】
本発明は、このような事情を鑑みてなされたものであり、消費電力を低減すると共にシャッタタイミングを掴み易くしたデジタルカメラを提供することを目的とする。
【課題を解決するための手段】
【０００６】
上記目的を達成するため第１の発明に係わるデジタルカメラは、撮影レンズを通過した被写体光束を受光して被写体像信号を出力する撮像素子を含む撮像手段と、上記被写体像信号に基づいて被写体の動画像を表示装置に表示するスルー画表示手段と、撮影準備動作の実行を指示するために操作される手動操作部材を具備し、上記スルー画表示手段は、上記手動操作部材が操作されるまでは第１の更新周期でスルー画表示を行い、上記手動操作の操作後は上記第１の更新周期よりも短い第２の更新周期でスルー画表示を行う。
【０００７】
第２の発明に係わるデジタルカメラは、上記第１の発明において、上記スルー画表示手段は、上記撮影準備動作の終了後に上記第２の更新周期に変更する。
また、第３の発明に係わるデジタルカメラは、上記第２の発明において、上記撮影準備動作は、自動焦点調節動作、若しくは測光動作である。
さらに、第４の発明に係わるデジタルカメラは、上記第１の発明において、上記手動操作部材はレリーズ釦であり、上記撮影準備動作は上記レリーズ釦の半押しに応答する。
【０００８】
さらに、第５の発明に係わるデジタルカメラは、上記第１の発明において、上記撮影レンズと上記撮像素子の間に傾けて配置されたハーフミラーと、上記ハーフミラーで反射された一部の被写体光束を用いて上記撮影レンズの焦点状態を検出する測距手段を具備しており、上記スルー画表示手段は、上記測距手段による測距動作の終了後に上記第２の更新周期に変更する。
さらに、第６の発明に係わるデジタルカメラは、上記第１の発明において、上記スルー画表示手段は、撮影動作の終了後に上記第１の更新周期に復帰させる。
さらに、第７の発明に係わるデジタルカメラは、上記第１の発明において、被写界輝度を測定する測光手段を有し、この測光結果に基づいて、低輝度の場合には、上記撮像素子の画素出力について画素加算を行なう。
さらに、第８の発明に係わるデジタルカメラは、上記第１の発明において、上記スルー画表示手段のバックライトの輝度を制御するバックライト輝度可変回路を有し、上記手動操作後は、上記バックライトの輝度を明るくする。
【０００９】
上記目的を達成するため第９の発明に係わるデジタルカメラは、撮影レンズを通過した被写体光束を受光して被写体像信号を出力する撮像素子を含む撮像手段と、上記被写体像信号に基づいて被写体の動画像を表示装置に表示するスルー画表示手段を具備し、上記スルー画表示手段は、レリーズ釦の半押し操作に応答してスルー画表示の更新周期を短くする。
【発明の効果】
【００１０】
本発明によれば、スルー画表示手段は、手動操作部材が操作されるまでは第１の更新周期でスルー画表示を行い、手動操作の操作後は第１の更新周期よりも短い第２の更新周期でスルー画表示を行うようにしたので、消費電力を低減すると共にシャッタタイミングを掴み易くしたデジタルカメラを提供することができる。
【発明を実施するための最良の形態】
【００１１】
以下、図面に従って本発明を適用したデジタルカメラを用いて好ましい実施形態について説明する。図１は、本発明の第１実施形態に係るデジタルカメラについて背面からみた外観斜視図である。このカメラは、カメラ本体２０と、交換レンズとしてのレンズ鏡筒１０とから構成されている。レンズ鏡筒１０はカメラ本体２０の前面のマウント開口部（不図示）に着脱自在となっている。マウント開口部を介してレンズ鏡筒１０内のレンズ１０１ａ、１０１ｂ等（図２参照）からなる撮影レンズによる被写体光束がカメラ本体２０内に導かれる。本実施形態では、レンズ鏡筒１０とカメラ本体２０は別体で構成され、通信接点３００（図２参照）を介して電気的に接続されている。また、カメラ本体２０に設けた着脱検知スイッチ２５９（図２参照）によって着脱状態を検出可能となっている。
【００１２】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１３】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタスピード優先撮影モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。パワースイッチレバー２３はデジタルカメラの電源のオン・オフを行うための操作部材であり、オン・オフの２つの位置に回動可能に構成されている。コントロールダイヤル２４は回転可能に構成された操作部材であり、情報表示画面等において、コントロールダイヤル２４の回転操作により所望の設定値やモード等を選択することができる。
【００１４】
カメラ本体２０の背面には、背面液晶モニタ２６、再生釦２７、メニュー釦２８、十字釦３０、OK釦３１、ファインダ接眼部３３が配置されている。背面液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。なお、カメラ本体２０に対して角度を自在に変更できるよう構成しても良い。ファインダ接眼部３３は、被写体像を観察するための接眼窓であり、内部には後述するファインダ内液晶モニタ２９が配置されており、このファインダ接眼部３３を通じて被写体像を観察可能となっている。再生釦２７は、撮影後に記録した被写体画像を背面液晶モニタ２６に表示させることを指示するための操作釦である。再生釦２７の操作に応じて、後述するＳＤＲＡＭ２３８、または記録媒体２４５にＪＰＥＧ等の圧縮モードで記憶されている被写体の画像データが伸張された後、背面液晶モニタ２６に表示される。
【００１５】
十字釦３０は背面液晶モニタ２６上で、Ｘ方向とＹ方向の２次元方向にカーソルの移動を指示するための操作部材であり、また、記録媒体２４５に記録された被写体像を表示するにあたって、再生画像の選択にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１６】
これらのレリーズ釦２１、パワースイッチレバー２３、再生釦２７、メニュー釦２８、十字釦３０、ＯＫ釦３１はいずれもオン・オフスイッチと連動している。これらのオン・オフスイッチに連動する操作釦と、モードダイヤル２２、コントロールダイヤル２４等の操作部材の操作に応じて発生する信号がＡＳＩＣ(Application Specific Integrated Circuit  特定用途向け集積回路)２６２内のスイッチ検出回路２５３（図２参照）に送信される。
【００１７】
次に、図２を用いて、デジタルカメラの電気系を主とする全体構成を説明する。  
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１８】
カメラ本体２０内のミラーボックス内には、レンズ１０１ａ、１０１ｂを通過した光束の一部を透過し、残りを反射する特性を有する可動の反射ミラー（便宜上、可動ハーフミラーという）２０１が配置されている。この可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた位置（図２において実線の位置）にあるときには、被写体光束の一部（例えば、３０％）が反射され、カメラ本体２０の底部に設けられた測距／測光センサ２１７に導かれる。また被写体光束の残り（７０％）は、可動ハーフミラー２０１を透過してＣＣＤ２２１の方向に導かれる。そして、可動ハーフミラー２０１がレンズ１０１ａ、１０１ｂの光路と略平行で、被写体光束を遮らない退避位置（図２において二点鎖線の位置）にあるときには、被写体光束の全部がＣＣＤ２２１に導かれる。この可動ハーフミラー２０１の構造については、図３を用いて後述する。なお、本実施形態においては、可動ハーフミラー２０１の回動中心は、ミラーボックス内の下側であったが、これに限らず、上側でも良く、また左右のいずれかに紙面に対して平行な回動中心にしても勿論構わない。また、本実施形態においては、ハーフミラーの反射率と透過率はそれぞれ３０％と７０％であるが、この比率に限られず、適宜変更できる。
【００１９】
カメラ本体２０内のミラーボックスの底部であって、可動ハーフミラー２０１によって反射された光束が導かれる位置に測距／測光センサ２１７が配置されている。この測距／測光センサ２１７は測距用のセンサと測光センサから構成されており、測光センサは被写体像を分割して測光する多分割測光素子で構成されている。また、測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００２０】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２１】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２２】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。また、入出力回路２３９を介してボディＣＰＵ２２９からの指令に従ったフレームレートで画素信号の読出しを行う。撮像素子駆動回路２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２３】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００２４】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２５】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２６】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２７】
カメラ本体２０やレンズ鏡筒１０のパワー供給の制御を行うためのパワースイッチレバー２３に連動してオン・オフするパワースイッチ２５７と、シャッタレリーズ釦２１の第1ストロークや第２ストロークを検出するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、着脱検知スイッチ２５９等の各種スイッチ２５５は、スイッチ検出回路２５３を介してデータバス２６１に接続されている。
【００２８】
次に、本発明の一実施形態におけるデジタルカメラの動作について図３および図４に示すフローチャートを用いて説明する。図３に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。ステップＳ１において、パワースイッチ２５７がオンであった場合には、ステップＳ２に進み、着脱スイッチ２５９がオフか否かを判定する。着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバー２３が操作され、パワーオンとなった場合に、レンズ離脱時と同様な処理をするためである。ステップＳ２において、着脱スイッチ２５９がオンであった場合には、ステップＳ５以下に進み、パワースイッチオンのための処理を行う。
【００２９】
ステップＳ５では、可動ハーフミラー２０１の復帰を行う。これは、パワースイッチ２５７がオフの状態では、可動ハーフミラー２０１は撮影光路から退避した位置にあるが（図２において二点鎖線の状態）、パワースイッチ２５７のオンに応じて、レンズ鏡筒１０からの被写体光束を測距／測光センサ２１７に導き、測光および測距を行うためである。次に、防塵フィルタ２０５における塵埃除去動作を行う（Ｓ７）。これは防塵フィルタ２０５に固着された圧電素子２０７に防塵フィルタ駆動回路２１１から駆動電圧を印加し、前述したように超音波によって塵埃等を除去する動作である。
【００３０】
続いて、シャッタ駆動回路２１３によってシャッタ２０３の開放動作を行う（Ｓ９）。これによって、可動ハーフミラー２０１を透過した被写体光束は、シャッタ２０３によって遮られないので、ＣＣＤ２２１上に被写体像が結像される。この後、ＣＣＤ２２１からの読出しのためのフレームレート、すなわちスルー画表示のためのフレームレートを１５ＦＰＳに設定する（Ｓ１０）。スルー画表示にあたって、本実施形態においては、基準となるフレームレートは３０ＦＰＳ（frame per second 秒当たりコマ数）であるが、レリーズ釦２１が半押しされるまでの撮影待機状態においては、これよりも低い１５ＦＰＳとした。このため撮影待機状態においては、消費電力を低減させることができる。なお、フレームレートは、撮影準備状態におけるフレームレートよりも長周期であれば良く、例えば、８ＦＰＳや５ＦＰＳでも良い。次に、ＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３１】
次に、モードダイヤル２２等によって設定された撮影モードや、ＩＳＯ感度、マニュアル設定されたシャッタ速度や絞り値等の情報があればそれらの撮影条件の読み込みを行う（Ｓ１３）。そして、測距／測光センサ２１７によって被写体輝度を測光し、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００３２】
次に、ステップＳ１９に進み、再生モードか否かの判定を行う。この再生モードは、再生釦２７が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行い、このとき合わせて、次のシャッタ開放動作のために、シャッタチャージ動作を行う（Ｓ３３）。続いて、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦２１の半押し等、他の手動操作がなされた場合には、再生動作を終了してステップＳ７に戻り、前述の動作を繰り返す。
【００３３】
ステップＳ１９に戻り、再生モードが設定されていなかった場合には、ステップＳ２１に進み、メニューモードが設定されているか否かを判定する。これは、メニュー釦２８が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。シャッタ閉じを行う際には、ステップＳ３３と同様に、シャッタチャージ動作を行う。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００３４】
ステップＳ２１に戻り、判定の結果、メニューモードが設定されていなかった場合には、ステップＳ２３に進み、レリーズ釦２１が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図５を用いて後述する。撮影動作のサブルーチンが終了すると、ステップＳ７に戻り、前述のステップを繰り返す。
【００３５】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作（Ｓ４７）と、これに合わせて、シャッタチャージ動作を行う。この後、可動ハーフミラー２０１の退避動作を行う（Ｓ４９）。退避動作は、前述したように、モータを駆動してミラー用カム４１７を回動させ、開きバネ４０７の付勢力によってミラー枠４０３を撮影光路から退避した位置に回動させることにより行う（図２および図３の二点鎖線の位置）。
【００３６】
可動ハーフミラー２０１の退避が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ハーフミラー２０１を復帰させる。これは、前述したように、モータを駆動してミラー用カム４１７を回動させ、開きバネ４０７の付勢力に抗して、カム面によって係止レバー４１３を時計方向に回動させ、ミラー枠４０３をレンズ１０１ａ、１０１ｂの光路中に介挿させる。可動ハーフミラー２０１の復帰が終わると、ステップＳ７に戻り、前述のステップを繰り返す。
【００３７】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバー２３の操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ９に進み、各種操作釦による操作に基づく動作を行う等の変形は可能である。
【００３８】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。このシャッタ閉じ動作時に、シャッタチャージ動作も合わせて行う。この後、前述のステップＳ４９と同様にして、可動ハーフミラー２０１の退避動作を行った後（Ｓ３０）、ステップＳ３に戻りスリープ状態となる。
【００３９】
このように、本実施形態においては、スルー画表示可能なデジタルカメラにおいて、パワーオン時に可動ハーフミラー２０１を撮影光路中に介挿し、被写体光束の一部を測距／測光センサ２１７に反射させているので、パワーオン時に直ちに測光や測距を行うことができ便利である。
【００４０】
次に、ステップＳ４３の撮影動作のサブルーチンについて図４を用いて説明する。このサブルーチンは前述したように、レリーズ釦２１の半押しがなされると実行される。まず、測距・自動焦点調節を行う（Ｓ７１）。これは、可動ハーフミラー２０１が撮影光路中に介挿され、被写体光束の一部が測距／測光センサ２１７に反射しているので、この被写体光束を用いて測距／測光処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。ピント位置に駆動後、測距／測光センサ２１７や測距／測光処理回路２１９等によって再測距を行い、合焦位置に到達したことを確認するまで、測距と合焦駆動動作を繰り返す。
【００４１】
次に、測光／露光量演算を行う（Ｓ７３）。これも可動ハーフミラー２０１によって反射された被写体光束を測距／測光センサ２１７が受光し、測距／測光処理回路２１９によって処理することにより、被写体輝度ＢＶを検出する。ボディＣＰＵ２２９は、この被写体輝度ＢＶを用いて露光量ＥＶを求め、さらに撮影モード等に従ってシャッタ速度や絞り等の露出条件を求める。続いて、ステップＳ７４において、スルー画のフレームレートを３０ＦＰＳに変更する。スルー画のフレームレートの変更は、ステップＳ７１，Ｓ７３の合焦動作、測光演算完了後に行うことで、合焦動作および測光演算の処理を早く行える利点がある。
【００４２】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ９に戻る。
【００４３】
ステップＳ７５に戻り、判定の結果、２Ｒスイッチがオンであった場合、すなわちレリーズ釦２１が全押しされた場合には、静止画像取得のための撮像動作に移る。まず、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。続いて、ステップＳ４９と同様にして可動ハーフミラー２０１の退避動作を行う（Ｓ８１）。
【００４４】
続いて、設定絞り値またはＳ７３で演算された絞り値まで絞り１０３の絞込み動作を、レンズＣＰＵ１１１を介し絞り駆動機構１０９によって行う。絞込み動作が終わると、次にＣＣＤ２２１による露光動作を行う（Ｓ８５）。すなわち、可動ハーフミラー２０１は退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００４５】
続いて、シャッタ２０３の閉じ動作と、これに合わせてシャッタチャージ動作を行い（Ｓ８７）、絞り１０３の開放動作の指示をレンズＣＰＵ１１１に出力する（Ｓ８９）。なお、シャッタチャージは絞り１０３の開放動作と並行して行なうようにしても良い。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、ステップＳ９７に進み、ステップＳ５５と同様にして、可動ハーフミラー２０１の復帰動作を行う。復帰動作が終わると、パワーオンリセットのルーチンに戻る。
【００４６】
本実施形態では、スルー画表示を開始する前のステップＳ１０において、スルー画表示のためのフレームレートを撮影時のフレームレートより長い周期に設定しているので、撮影待機状態においては消費電力を低減させることができる。また、レリーズ釦２１の半押しにより撮影準備に入ると、ステップＳ７４において、撮影時のフレームレートに切り換えており、言い換えると撮影待機状態でのフレームレートよりは短い周期に設定するようにしているので、被写体の動きの変化に追随してスルー画表示も変化でき、シャッタタイミングを逃すおそれが少なくなる。デジタルカメラの消費電流を一律に低減させてしまうとシャッタタイミングを逃してしまう虞があるが、本実施形態では、被写体像のフレーミングを行うことの殆どない撮影待機状態ではフレームレートを低くし、フレーミングを行う撮影準備状態からはフレームレートを高くするようにしたので、上記課題を巧みに解決することができる。
【００４７】
また、本実施形態では、ステップＳ７４におけるフレームレートの切換は、ステップＳ７１における測距・自動焦点調節動作後である。自動焦点調節動作は、撮影レンズの駆動を伴うものであり、消費電力が大きいため、これと同時にフレームレートを高くすることは好ましくない。このため本実施形態では、撮影準備動作に入っても、自動焦点調節動作が終わってからフレームレートを高く設定するようにした。また、同じように、測光動作が終了するのを待って、フレームレートの設定を変更するようにしている。
【００４８】
さらに、本実施形態では、撮影動作が終了すると、パワーオンリセットのルーチンに戻り、ステップＳ１０において、フレームレートを低く、すなわち長周期に変更しているので、撮影動作終了後は、再び低消費電力モードとなる。
【００４９】
なお、本実施形態においては、撮像素子としてのＣＣＤ２２１は可動ハーフミラー２０１の透過光を受光し、測距／測光センサ２１７は可動ハーフミラー２０１の反射光を受光していたが、これとは逆にＣＣＤ２２１は反射光を、測距／測光センサ２１７は透過光を受光するように構成しても良い。また、可動ハーフミラー２０１を用いてＣＣＤ２２１と測距／測光センサ２１７に被写体光束を分割していたが、全反射ミラーを用いて必要時にそれぞれ被写体光束を導くようにしても勿論構わない。
【００５０】
さらに、本実施形態においては、撮像素子はＣＣＤ２２１のみであったが、これに限らず、別にファインダ光学系中に配置し、記録用の撮像素子とファインダ光学系中の撮像素子の出力の両方またはいずれかを切り換えてスルー画表示するものにも適用できる。
【００５１】
次に、本発明の第２実施形態について、図５乃至図７を用いて説明する。本発明の第１実施形態においては、可動反射ミラー２０１は、回動軸２０１ａを中心に回動自在であり、スルー画表示のために可動ハーフミラー２０１は撮影レンズ１０１ａ、１０１ｂの光軸中に介挿され、ＣＣＤ２２１による撮像動作を行う際には、撮影レンズ１０１ａ、１０１ｂの光軸から退避するように構成されていた。本発明の第２実施形態においては、この可動ハーフミラー２０１に代えて固定のミラー部２０２を配置している。以下、相違点を中心に本発明の第２実施形態について説明し、同一部材については同一符号を付して詳しい説明を省略する。
【００５２】
本発明の第２実施形態の構成を図５に示す回路ブロック図を用いて説明する。前述したように可動ハーフミラー２０１に代えてミラー部２０２を配置しているが、これに以外に、第１実施形態と異なるのは、ミラーの変更に伴いシャッタ駆動機構２１３を省略しており、また、バックライト輝度可変回路２３６を設けている点である。
【００５３】
ミラー部２０２は、カメラ本体２０内のミラーボックス内に配置されており、レンズ１０１ａ、１０１ｂを通過した光束の一部を透過し、一部を反射する光学特性を有し、ペリクルミラー等によって構成される。なお、ミラー部２０２は、例えば、被写体光束の一部（例えば、３０％）を反射し、一部（例えば、７０％）を透過するが、第１実施形態と同様、反射と透過の割合は、種々の値をとることができる。また、図５では、被写体光束をミラーボックス下部に反射するように、ミラー部２０２を配置しているが、これに限らず、上部もしくは左右のいずれかに被写体光束を反射するようにミラー部２０２を配置しても勿論構わない。
【００５４】
また、バックライト輝度可変回路２３６は、背面液晶モニタ２６の裏面に配置されているバックライト装置（不図示）の輝度を制御する回路であり、液晶モニタ駆動回路２３５に接続されている。ボディＣＰＵ２２９は、ビデオ信号出力回路２３３、液晶モニタ駆動回路２３５を介して、バックライト輝度可変回路２３６に、バックライト装置の輝度の指令信号を出力し、バックライト輝度間回路２３６はこれに従って輝度を可変する。
【００５５】
このように構成された本発明の第２実施形態の動作について、図６および図７に示すフローチャートを用いて説明する。図６のフローチャートは、図３に示した第１実施形態におけるパワーオンリセットのルーチンに対応するフローチャートである。第１実施形態との相違点は、可動ハーフミラー２０１に代えて本実施形態においては固定のミラー部２０２を設けたことにより、図３のステップＳ５、Ｓ３０、Ｓ４９、Ｓ５５における、可動ハーフミラー２０１の復帰動作または退避動作を省略してある。
【００５６】
また、本実施形態においては、レリーズ釦が半押しされ撮影動作に入ると、低輝度の場合にはＣＣＤ２２１から画像信号を読み出すにあたって画素加算を行っている。また背面液晶モニタ２６のバックライト装置の輝度を適正となるように調整している。
【００５７】
すなわち、ステップＳ１０において、スルー画フレームレートを１５ＦＰＳに設定すると、次に、画素加算解除を行なう（Ｓ１０Ａ）。これは、後述するように、図７に示す撮影動作のサブルーチンにおいて、低輝度の場合には画素加算をステップＳ７３Ａにおいて行っている。このステップＳ１０Ａでは、画素加算が設定されたままの場合があることから、このステップで、画素加算の解除を行なっている。なお、低輝度の場合に、画素加算を行う代わりに、または画素加算と共に、撮像素子の感度アップを行なっている場合には、このステップで感度アップを解除する。
【００５８】
画素加算の解除が終わると、続いて、バックライト輝度を適正輝度にする（Ｓ１０Ｂ）。背面液晶モニタ２６は、周囲が明るいと見にくいので、周囲の明るさに合わせてバックライト装置の輝度を適正となるように調整している。なお、周囲の明るさは、ステップＳ１５において求めた測光・露光量演算結果に基づいて求めるが、その他にも、例えば、撮像素子で検出した画像信号に基づいて得ることができる。これ以外の図６に示すステップは、第１実施形態と同様であるので、同一のステップには同一の符号を付し、詳細な説明は省略する。
【００５９】
次に、図７に示すフローチャートは、図４に示した第１実施形態における撮影動作のルーチンと類似している。このため、同一のステップには同一の符号を付し、詳細な説明は省略し、相違点を中心に説明する。第１実施形態との相違点は、画素加算に関連してステップＳ７３Ａ、７３ＢおよびステップＳ７９Ａが追加され、バックライト装置の輝度制御に関連して、ステップＳ７４Ａが追加され、可動ハーフミラー２０１に代えてミラー部２０２を設けたことに伴いステップＳ８１とＳ９９が省略された点である。
【００６０】
図７の撮影動作のフローに入り、ステップＳ７３Ａにおいて、ステップＳ７３における測光結果に基づいて、低輝度か否かの判定を行なう。本実施形態において、低輝度か否かはＥＶ（露出値）＝５（例えば、ＩＳＯ１００、絞り値Ｆ２．８、シャッタスピード１／４秒）を判定レベルとしているが、これに限らず、適宜、選択できる。判定の結果、所定値より高輝度の場合には、ステップＳ７３ＢをスキップしてステップＳ７４に進む。一方、判定の結果、所定値より低輝度の場合には、ステップＳ７３Ｂにおいて、画素加算を開始させる。なお、この画素加算に代えて、または画素加算と共に、撮像素子としてのＣＣＤ２２１の感度アップを行うようにしても良い。また、ステップＳ７４における低輝度か否かの判定にあたって、ＣＣＤ２２１の画像信号が所定レベルを下回ったか否かを判定するようにしても良い。
【００６１】
前述したように、ミラー部２０２は被写体光束の一部を反射しているので、撮像素子であるＣＣＤ２２１に到達する被写体光束が低下する傾向にある。特に被写界が低輝度の場合には十分な画像信号を得ることができなくなるおそれがあるので、本実施形態においては、画素加算を行なって、一定の画像信号レベルを維持するようにしている。なお、画素加算とは、撮像素子の画像信号の出力にあたって、２×２、３×３等、周囲の画素の出力を加算して画素出力することをいう。
【００６２】
このあと、ステップＳ７４において、スルー画のフレームレートを３０ＦＰＳに設定してから、次に、バックライト輝度を明るくする（Ｓ７４Ａ）。図７に示す撮影動作のサブルーチンは、レリーズ釦を半押しし、撮影準備動作であることから、撮影者は液晶モニタ２６の観察状態にある。周囲が明るい場合には、液晶モニタ２６で被写体像を観察し難いことから、このステップＳ７４Ａでは、バックライド輝度可変回路２３６によって、バックライト装置の輝度を明るく設定し、観察し易くする。なお、画素加算の解除は、ステップＳ７５において、２Ｒスイッチがオンとなったら、スルー画停止を指示する前に行なっても構わない。
【００６３】
先に進み、ステップＳ７５において、レリーズ釦の全押しがなされ、ステップＳ７９において、スルー画停止指示を行なうと、続いて、画素加算を解除する（Ｓ７９Ａ）。ステップＳ７３Ｂにおいて、低輝度の場合には、画素加算を開始し、被写体が暗い場合でも明るい画面が得られるようにしていたが、レリーズ動作がなされ撮像画像の取得を行うにあたって、画素加算を解除し、ＣＣＤ２２１の各画素の出力を読み出すようにする。
【００６４】
図６および図７に示すフローは第１実施形態と同様のステップが大半であることから、これらのフローの概略のみを説明する。まず、カメラ本体２０に電源電池が装填され、パワーオンリセットのルーチンに入ると、第１実施形態と同様なステップをたどり、ステップＳ１０において、スルー画表示のためのフレームレートは１５ＦＰＳに設定される。続いて、画素加算解除を行なってから（Ｓ１０Ａ）、バックライト輝度を適正となるように制御する（Ｓ１０Ｂ）。このあと、スルー画表示を開始し（Ｓ１１）、撮影モード・撮影条件の読み込み（Ｓ１３）、測光・露光量演算（Ｓ１５）、スルー画表示設定（Ｓ１７）の一連の動作を行う。
【００６５】
続いて、再生モードか（Ｓ１９）、メニューモードか（Ｓ２３）、１Ｒスイッチがオンか（Ｓ２３）、着脱スイッチがオフか（Ｓ２５）、パワースイッチがオンか（Ｓ２７）と、それぞれ判定し、判定の結果に応じて処理を行う。また１Ｒスイッチがオンであった場合には、測距・自動焦点調節を行い（Ｓ７１）、続いて測光・露光量演算を行なう（Ｓ７３）。この後、測光結果に基づいて、低輝度か否かの判定を行い（Ｓ７３Ａ）、低輝度の場合には、画素加算を行なって（Ｓ７３Ｂ）、液晶モニタ２６の表示画面の画面輝度を向上させる。
【００６６】
続いて、スルー画フレームレートを３０ＦＰＳに設定して（Ｓ７４）、被写体画像の追従性を向上させる。また、バックライト輝度可変回路２３６によって、バックライト装置の輝度を明るく設定し（Ｓ７４Ａ）、液晶モニタ２６の表示画面を明るくする。
【００６７】
このあと、ステップＳ７５、Ｓ７６において、レリーズ釦の操作状態を判定し、レリーズ釦が全押しされ、撮影を行なう場合には、まず、スルー画表示の停止を行い（Ｓ７９）、画素加算の解除を行なう（Ｓ７９Ａ）。これによって、撮像素子であるＣＣＤ２２１からは、加算されず、画素ごとの信号が出力される。続いて、絞り込み（Ｓ８３）、露光動作（Ｓ８５）、シャッタ閉じ動作とシャッタチャージ動作（Ｓ８７）、絞り開放動作（Ｓ８９）が第１実施形態と同様に順次なされる。そして、露光動作によって得られた被写体像の画像信号の読み出しを行い（Ｓ９１）、画像処理（Ｓ９３）、画像記録（Ｓ９５）がなされ、１Ｒスイッチがオフとなるとパワーオンリセットのルーチンに戻る。
【００６８】
このように、本発明の第２実施形態においても、撮影動作に入る前のスルー画表示のフレームレートが、撮影動作に入った後よりも小さく設定される。このため、このため、撮影動作に入る前は電源消費を低減させることができ、撮影動作に入ると被写体の動きに追随して被写体像を表示することができる。
【００６９】
また、本発明の第２実施形態においては、スルー画表示のフレームレートの変更を行なうほかに、被写界が低輝度の場合には、撮像素子の画素加算を行うようにしている（ステップＳ７３Ａ、Ｓ７３Ｂ）。一部の被写体光を反射す残りを透過する特性を有するミラー部２０２を用いる場合に、撮像素子に到達する被写体光束が少なくなる虞がある。しかし、この場合でも画素加算により十分なレベルの画像信号を得ることができ、周囲が暗くても、液晶モニタ２６の画面輝度を確保することができる。
【００７０】
さらに、本発明の第２実施形態においては、液晶モニタ２６のバックライト装置の輝度を、撮影動作に入った場合に明るくするようにしている（Ｓ７４Ａ）。このため、撮影者が液晶モニタ２６を観察し易く、また撮影者が液晶モニタ２６を観察している可能性の低い、非撮影動作時には、バックライトの輝度を低下しているので、電源浪費を防止することができる。
【００７１】
なお、第２実施形態においては、ステップＳ７３Ａにおける低輝度か否かの判定にあたって、ステップＳ７３における測光／測光センサ２１７の出力に基づく測光結果を用いたが、これに限らず、ＣＣＤ２２１の出力結果に基づいて測光結果を得るようにしても勿論構わない。
【００７２】
また、第２実施形態におけるステップＳ７３Ｂの画素加算は、ＣＣＤ２２１の画素読み出しにあたって、画素加算を行なっていたが、これに限らず、一旦、全画素について読み出した後に、画像処理回路２２７等において、画素加算処理を行うようにしても勿論構わない。
【００７３】
さらに、バックライト輝度可変回路２３６は、背面液晶モニタ２６のバックライトを可変するように制御していたが、これに限らず、ファインダ内モニタ２９のバックライトも同様に制御しても勿論良い。
【００７４】
第１実施形態と同様の構成については、第２実施形態についても同様の効果を奏し、また変形を行なうことができる。本発明の各実施形態においては、本発明を一般的なデジタルカメラに適用したものであったが、これに限らず、携帯等の各種装置内の撮影装置でもよく、またベローズ、エクステンションチューブ等を装着するものでも良く、さらに顕微鏡、双眼鏡等の各種装置に取り付けられる専用カメラにも適用できることは勿論である。撮影対象をモニタ装置にスルー画表示すると共に記録可能なカメラであれば、本発明を適用することができる。
【図面の簡単な説明】
【００７５】
【図１】本発明の第１実施形態におけるデジタルカメラを背面から見た外観斜視図である。
【図２】本発明を適用した第１実施形態におけるデジタルカメラの電気系の全体構成を示すブロック図である。
【図３】本発明の第１実施形態におけるパワーオンリセットの動作を示すフローチャートである。
【図４】本発明の第１実施形態における撮影動作のフローチャートである。
【図５】本発明を適用した第２実施形態におけるデジタルカメラの電気系の全体構成を示すブロック図である。
【図６】本発明の第２実施形態におけるパワーオンリセットの動作を示すフローチャートである。
【図７】本発明の第２実施形態における撮影動作のフローチャートである。
【符号の説明】
【００７６】
１０  レンズ鏡筒
２０  カメラ本体
２１  レリーズ釦
２３  パワースイッチレバー
２６  背面液晶モニタ
２９  ファインダ内液晶モニタ
３３  ファインダ接眼部
１０１ａ、１０１ｂ  レンズ
１０３  絞り
１１１  レンズＣＰＵ
２０１  可動ハーフミラー
２０２  ミラー部
２０３  シャッタ
２０５  防塵フィルタ
２０７  圧電素子
２０９  赤外カットフィルタ
２１０  光学的ローパスフィルタ
２１５  可動ミラー駆動機構
２１７  測距／測光センサ
２１９  測距／測光処理回路
２２１  ＣＣＤ
２２７  画像処理回路
２３６  バックライト輝度可変回路
２２９  ボディＣＰＵ
２５３  スイッチ検出回路
２５５  各種スイッチ
２５７  パワースイッチ
２５９  着脱検知スイッチ
２６１  データバス
【図１】
2008035474.tif 000003
【図２】
2008035474.tif 000004
【図３】
2008035474.tif 000005
【図４】
2008035474.tif 000006
【図５】
2008035474.tif 000007
【図６】
2008035474.tif 000008
【図７】
2008035474.tif 000009